(57)【要約】【課題】ＯＳＳ制御が不要な時間帯での当該ＯＳＳ制御が働かないようにし、ＯＳＳ制御が必要な時間帯に当該ＯＳＳ制御を行う。【解決手段】予め設定されたスケジュール有効時間に基づき、予め設定された運転スケジュールの中から、前倒し運転の対象とする対象スケジュールを特定する対象スケジュール特定部１１と、制御対象となる室内温度と目標温度との差に基づいて、当該室内温度を目標温度とするために必要な空調機運転時間を算出する空調機運転時間算出部１２１と、対象スケジュール特定部１１が特定した対象スケジュールの情報と、空調機運転時間算出部１２１が算出した空調機運転時間の情報とに基づき、空調機最適起動時刻を算出する空調機最適起動時刻算出部１２２と、現在時刻が空調機最適起動時刻になった場合に、空調機を起動させる空調機起動制御部１４１とを備えた。【選択図】図２
2018200122.tif 000002
【特許請求の範囲】
【請求項１】
予め設定されたスケジュール起動時刻に室内温度が目標温度に到達するように空調機を前倒し運転する空調システムの最適起動停止制御装置において、
予め設定されたスケジュール有効時間に基づき、予め設定された運転スケジュールの中から、前記前倒し運転の対象とする対象スケジュールを特定する対象スケジュール特定部と、
制御対象となる前記室内温度と前記目標温度との差に基づいて、当該室内温度を前記目標温度とするために必要な空調機運転時間を算出する空調機運転時間算出部と、
前記対象スケジュール特定部が特定した対象スケジュールの情報と、前記空調機運転時間算出部が算出した空調機運転時間の情報とに基づき、空調機最適起動時刻を算出する空調機最適起動時刻算出部と、
現在時刻が前記空調機最適起動時刻になった場合に、前記空調機を起動させる空調機起動制御部
とを備えた空調システムの最適起動停止制御装置。
【請求項２】
前記対象スケジュール特定部は、
前記運転スケジュールにおける、前記空調機の起動時刻および停止時刻が前記スケジュール有効時間内である運転スケジュールを、前記対象スケジュールと特定する
ことを特徴とする請求項１記載の空調システムの最適起動停止制御装置。
【請求項３】
前記空調機最適起動時刻算出部が算出した空調機最適起動時刻が、前記スケジュール有効時間の開始時刻よりも前である場合、前記空調機最適起動時刻を、前記スケジュール有効時間の開始時刻に補正する空調機最適起動時刻補正部をさらに備えた
ことを特徴とする請求項１または請求項２記載の空調システムの最適起動停止制御装置。
【請求項４】
予め設定されたスケジュール起動時刻に室内温度が目標温度に到達するように空調機を前倒し運転する空調システムの最適起動停止制御方法において、
対象スケジュール特定部が、予め設定されたスケジュール有効時間に基づき、予め設定された運転スケジュールの中から、前記前倒し運転の対象とする対象スケジュールを特定するステップと、
空調機運転時間算出部が、制御対象となる前記室内温度と前記目標温度との差に基づいて、当該室内温度を前記目標温度とするために必要な空調機運転時間を算出するステップと、
空調機最適起動時刻算出部が、前記対象スケジュール特定部が特定した対象スケジュールの情報と、前記空調機運転時間算出部が算出した空調機運転時間の情報とに基づき、空調機最適起動時刻を算出するステップと、
空調機起動制御部が、現在時刻が前記空調機最適起動時刻になった場合に、前記空調機を起動させるステップ
とを備えた空調システムの最適起動停止制御方法。
【発明の詳細な説明】
【技術分野】
【０００１】
この発明は、予め設定されたスケジュール起動時刻に室温が目標温度に到達するように空調機を前倒し運転する空調システムの最適起動停止制御装置および最適起動停止制御方法に関するものである。
【背景技術】
【０００２】
従来から空調システムでは、最適起動停止制御（ＯＳＳ制御）が行われている（例えば特許文献１参照）。このＯＳＳ制御では、居住者の快適性の確保を目的とし、スケジュール起動時刻に室温が目標温度に到達するように空調機を前倒し運転する制御を行っている。この前倒し運転では、前日までの室温に基づいてゲインを算出することで、最適起動時刻を制御する。
具体的には、特許文献１に開示されたＯＳＳ制御では、予め定められた時刻に室温が目標温度となるように、空調機および熱源機の運転を上記時刻より前に開始するようにしている（前倒し運転）。
【先行技術文献】
【特許文献】
【０００３】
【特許文献１】特開２００４−８５１４１号公報
【発明の概要】
【発明が解決しようとする課題】
【０００４】
しかしながら、特許文献１に開示されるような従来のＯＳＳ制御では、前倒し運転の対象としたくない、空調機の運転スケジュールが設定され得ることが想定されていない。
そのため、例えば、通常の運転スケジュールに加え、臨時の運転スケジュールが追加される等、１日のうちで、前倒し運転の対象としたくない空調機の運転スケジュールが設定されている場合、前倒しが不要な臨時の運転スケジュールに対して前倒し運転が行われ、本来、前倒しすべき通常の運転スケジュールでの前倒し運転が適切に行われないという課題があった。
【０００５】
この発明は、上記のような課題を解決するためになされたもので、ＯＳＳ制御が不要な時間帯での当該ＯＳＳ制御が働かないようにし、ＯＳＳ制御が必要な時間帯に当該ＯＳＳ制御を行うことができる空調システムの最適起動停止制御装置および最適起動停止制御方法を提供することを目的としている。
【課題を解決するための手段】
【０００６】
この発明に係る空調システムの最適起動停止制御装置は、予め設定されたスケジュール有効時間に基づき、予め設定された運転スケジュールの中から、前倒し運転の対象とする対象スケジュールを特定する対象スケジュール特定部と、制御対象となる室内温度と目標温度との差に基づいて、当該室内温度を目標温度とするために必要な空調機運転時間を算出する空調機運転時間算出部と、対象スケジュール特定部が特定した対象スケジュールの情報と、空調機運転時間算出部が算出した空調機運転時間の情報とに基づき、空調機最適起動時刻を算出する空調機最適起動時刻算出部と、現在時刻が空調機最適起動時刻になった場合に、空調機を起動させる空調機起動制御部とを備えたものである。
【発明の効果】
【０００７】
この発明によれば、上記のように構成したので、ＯＳＳ制御が不要な時間帯での当該ＯＳＳ制御が働かないようにし、ＯＳＳ制御が必要な時間帯に当該ＯＳＳ制御を行うことができる。
【図面の簡単な説明】
【０００８】
【図１】実施の形態１に係る最適起動停止制御装置を備えた空調システムの構成例を示す図である。
【図２】実施の形態１に係る最適起動停止制御装置の構成を示す図である。
【図３】実施の形態１において、対象スケジュール特定部が、前倒し運転の対象とする対象スケジュールの一例について説明するための図である。
【図４】実施の形態１に係る最適起動停止制御装置の動作を説明するためのフローチャートである。
【図５】実施の形態２に係る最適起動停止制御装置の構成を示す図である。
【図６】実施の形態２に係る最適起動停止制御装置の動作を説明するためのフローチャートである。
【発明を実施するための形態】
【０００９】
以下、この発明の実施の形態について図面を参照しながら詳細に説明する。
実施の形態１．
図１は、実施の形態１に係る最適起動停止制御装置１を備えた空調システムの構成例を示す図である。
空調システムは、最適起動停止制御装置１と、熱源機２と、空調機３と、空調機バルブ４と、熱源機コントローラ５と、空調機コントローラ６とを備える。なお、最適起動停止制御装置１は、ソフトウェアに基づくＣＰＵを用いたプログラム処理によって実行される。
【００１０】
空調システムにおいて、熱源機２からの送水が、熱源機側管路１０１からサプライヘッダ１０２を経て往水管路１０３により往水として空調機３へ供給され、空調機バルブ４を通り、還水管路１０４により還水としてリターンヘッダ１０５へ至り、再び熱源機２より圧送され、以上の経路を循環する。なお、熱源機２はポンプを含んでいるものとする。
【００１１】
この際、熱源機コントローラ５は、熱源機２の運転を制御する。当該熱源機コントローラ５は、最適起動停止制御装置１によって制御される。すなわち、最適起動停止制御装置１が、熱源機コントローラ５を介して、熱源機２の運転を制御する。
また、空調機コントローラ６は、空調機３の運転、および、空調機バルブ４の開閉を制御する。当該空調機コントローラ６は、最適起動停止制御装置１によって制御される。すなわち、最適起動停止制御装置１が、空調機コントローラ６を介して、制御対象である室内に空調機３からの給気が供給される室内温度と、予め設定された目標温度とが一致するように、空調機３の運転、および、空調機バルブ４の開度を制御する。
【００１２】
空調システムでは、予め設定された時刻に室内温度が目標室内温度となるように、空調機３、および、熱源機２の運転を、予め設定された時刻よりも前に開始させる。このように、予め設定された時刻より前の運転を、「前倒し運転」という。
当該「前倒し運転」は、最適起動停止制御装置１の制御に基づき行われる。
実施の形態１における、最適起動停止制御装置１による「前倒し運転」の制御の詳細については後述する。
【００１３】
図２は、実施の形態１に係る最適起動停止制御装置１の構成を示す図である。
最適起動停止制御装置１は、対象スケジュール特定部１１と、演算部１２と、時刻判定部１３と、起動制御部１４とを備える。
演算部１２は、空調機運転時間算出部１２１と、空調機最適起動時刻算出部１２２と、熱源機運転時間算出部１２３と、熱源機最適起動時刻算出部１２４とからなる。
時刻判定部１３は、空調機起動時刻判定部１３１と、熱源機起動時刻判定部１３２とからなる。
起動制御部１４は、空調機起動制御部１４１と、熱源機起動制御部１４２とからなる。
【００１４】
対象スケジュール特定部１１は、予め設定されているスケジュール有効時間に基づき、予め設定されている、空調機３の運転スケジュールの中から、前倒し運転の対象とする対象スケジュールを特定する。
具体的には、対象スケジュール特定部１１は、１日のうちに予め設定されている、空調機３の運転スケジュールにおいて、空調機３の起動時刻および停止時刻がスケジュール有効時間内である運転スケジュールを、対象スケジュールと特定する。
なお、空調機３の運転スケジュールは、予め、管理者等によって設定され、最適起動停止制御装置１が参照可能な場所に記憶されている。また、スケジュール有効時間についても、予め、管理者等によって設定され、最適起動停止制御装置１が参照可能な場所に記憶されている。
【００１５】
ここで、図３は、実施の形態１において、対象スケジュール特定部１１が、前倒し運転の対象とする対象スケジュールの一例について説明するための図である。
図３においては、ある１日の、空調機３の運転スケジュールを示している。
例えば、予め、管理者等は、空調機３の通常の運転スケジュールとして、「８：００起動、１７：００停止」とする運転スケジュールを設定していたとする（図３のｂ）。また、管理者等は、図３に示す日について、予め、空調機３の臨時の運転スケジュールとして、「１：００起動、３：００停止」とする運転スケジュールも設定していたとする（図３のａ）。すなわち、図３に示す日については、複数回の空調機３の運転スケジュールが設定されている。
また、管理者等は、予め、「７：００から１８：００」を、スケジュール有効時間に設定しているものとする。
【００１６】
この場合、「１：００起動、３：００停止」とする運転スケジュールは、空調機３の起動時刻および停止時刻が、スケジュール有効時間内に入っていない。よって、対象スケジュール特定部１１は、当該「１：００起動、３：００停止」とする運転スケジュールは、対象スケジュールではないとする。
【００１７】
一方、「８：００起動、１７：００停止」とする運転スケジュールは、空調機３の起動時刻および停止時刻が、スケジュール有効時間内に入っている。よって、対象スケジュール特定部１１は、当該「８：００起動、１７：００停止」とする運転スケジュールを、対象スケジュールと特定する。
【００１８】
対象スケジュール特定部１１は、特定した対象スケジュールの情報を演算部１２に出力する。
すなわち、図３の例でいうと、対象スケジュール特定部１１は、「８：００起動、１７：００停止」という運転スケジュールを、対象スケジュールとして、当該対象スケジュールの情報を演算部１２に出力する。
なお、図３では、対象スケジュールが１つのみの場合を示しているが、これに限らず、対象スケジュール特定部１１は、スケジュール有効時間内に入っている運転スケジュールが複数ある場合は、当該複数の運転スケジュールを対象スケジュールとする。
【００１９】
図２の説明に戻る。
演算部１２の空調機運転時間算出部１２１は、制御対象となる室内温度と目標温度との差に基づいて、室内温度を目標温度とするために必要な空調機運転時間を算出する。
空調機運転時間算出部１２１は、算出した空調機運転時間の情報を、演算部１２の空調機最適起動時刻算出部１２２に出力する。
【００２０】
空調機最適起動時刻算出部１２２は、対象スケジュール特定部１１から出力された対象スケジュールの情報と、空調機運転時間算出部１２１から出力された空調機運転時間の情報とに基づき、空調機最適起動時刻を算出する。
空調機最適起動時刻算出部１２２は、算出した空調機最適起動時刻の情報を、熱源機最適起動時刻算出部１２４、および、時刻判定部１３に出力する。
【００２１】
演算部１２の熱源機運転時間算出部１２３は、制御対象となる室内温度を目標温度とするために必要な熱源機運転時間を算出する。
熱源機運転時間算出部１２３は、算出した熱源機運転時間の情報を、演算部１２の熱源機最適起動時刻算出部１２４に出力する。
【００２２】
熱源機最適起動時刻算出部１２４は、熱源機運転時間算出部１２３から出力された熱源機運転時間の情報と、空調機最適起動時刻算出部１２２から出力された空調機最適起動時刻の情報とに基づき、熱源機最適起動時刻を算出する。
熱源機最適起動時刻算出部１２４は、算出した熱源機最適起動時刻の情報を、時刻判定部１３に出力する。
【００２３】
時刻判定部１３の空調機起動時刻判定部１３１は、現時刻が、空調機最適起動時刻になったかどうかを判定する。
時刻判定部１３の熱源機起動時刻判定部１３２は、現時刻が、熱源機最適起動時刻になったかどうかを判定する。
【００２４】
起動制御部１４の空調機起動制御部１４１は、空調機起動時刻判定部１３１が、空調機最適起動時刻になったと判定した場合に、空調機コントローラ６を介して空調機３を起動させる。また、空調機起動制御部１４１は、熱源機起動時刻判定部１３２が、熱源機最適起動時刻になったと判定した場合に、空調機コントローラ６を介して空調機バルブ４の開度を一定とする制御を行う。
起動制御部１４の熱源機起動制御部１４２は、熱源機起動時刻判定部１３２が、熱源機起動最適起動時刻になったと判定した場合に、熱源機コントローラ５を介して熱源機２を起動させる。
【００２５】
次に、上記のように構成された空調システムの最適起動停止制御装置１による動作について説明する。
図４は、実施の形態１に係る最適起動停止制御装置１の動作を説明するためのフローチャートである。
図４を用いて以下に説明する動作は、予め設定されている、空調機３の運転スケジュールにおける、空調機３の起動時刻に達する以前の所定時刻から定期的に実施される。
【００２６】
まず、対象スケジュール特定部１１は、予め設定されているスケジュール有効時間に基づき、予め設定されている、空調機３の運転スケジュールの中から、前倒し運転の対象とする対象スケジュールを特定する（ステップＳＴ４０１）。
対象スケジュール特定部１１は、対象スケジュールの情報を、演算部１２に出力する。
【００２７】
演算部１２の空調機運転時間算出部１２１は、制御対象となる室内温度と目標温度との差に基づいて、室内温度を目標温度とするために必要な空調機運転時間を算出する（ステップＳＴ４０２）。
具体的には、例えば、空調機運転時間算出部１２１は、前日までの実績を元に、室内温度が目標温度に達するまでの時間または温度差から、指数平滑によりゲインβ（℃／Ｈ）を学習し、当該学習したゲインβで、現在の室内温度と目標温度との差を除して、空調機運転時間を算出する。
【００２８】
この際、空調機運転時間算出部１２１は、１日のうちで、複数の対象スケジュールが設定されている場合は、上記ゲインβ（℃／Ｈ）の学習を、１日のうちの初回の対象スケジュール時のみ行うものとし、１日のうちの２回目以降の対象スケジュール時は、１回目で学習したゲインβ（℃／Ｈ）が得られるものとする。なお、複数回の対象スケジュールが設定されている場合、初回の対象スケジュールにおける空調機３の起動時の空調負荷が、最も高くなる。
【００２９】
一般に、空調特性は、時間帯、空調機の使用状況、外気温等によって変化するため、ゲインの学習対象は、似たような状況で算出したゲインに絞る必要がある。しかし、従来の技術では、１日のうちに複数回の空調機の運転スケジュールが設定されていることを想定していないため、仮に、１日のうちで複数回の運転スケジュールが設定されている場合には、その都度ゲインを学習することになる。その場合、異なる空調特性でゲインを学習することになり、適切な学習とはならない。
【００３０】
これに対し、実施の形態１の最適起動停止制御装置１においては、空調機運転時間算出部１２１は、上述のとおり、１日のうちの初回の対象スケジュール時のみ、上記学習を行うようにしている。
これによって、１日のうちで最も空調負荷の高い起動時のゲインのみを学習対象とすることで、学習対象とする状況が揃えられ、適切な学習を行うことができる。２回目以降の対象スケジュールにおける空調機３の起動は、空調負荷の高いゲインを使用して前倒し運転することで、必ず、対象スケジュールの時刻には、室内温度が設定温度に達するようにすることができる。
なお、空調機３の停止の前倒し運転を行う場合は、どの前倒し運転時も、前倒し運転開始時の室内温度と設定温度とが同じであるため、空調機運転時間算出部１２１は、１回目で学習したゲインを２回目以降で共通して使用することができる。
例えば、起動の前倒し運転を行う場合は、部屋が冷え切っている状態で暖房を開始するのと、既に暖まった部屋の空調を１時間だけ停止させてから暖房を再び開始するのでは、設定温度が同じでも空調開始時点の室温が異なる。しかし、停止の前倒し運転を行う場合は、空調を停止させる時点の室温は、初回であろうと２回目以降であろうと空調機の設定温度で変わらない。よって、どの回の前倒しであろうと似たようなゲインを示すと想定されるため、停止の前倒し運転の学習も、起動の前倒し運転と合わせて、１回目の学習のみとし、１回目で学習したゲインを２回目以降で共通して使用することができる。
【００３１】
空調機運転時間算出部１２１は、算出した空調機運転時間の情報を、演算部１２の空調機最適起動時刻算出部１２２に出力する。
【００３２】
空調機最適起動時刻算出部１２２は、ステップＳＴ４０１において対象スケジュール特定部１１から出力された対象スケジュールの情報と、ステップＳＴ４０２において空調機運転時間算出部１２１から出力された空調機運転時間の情報とに基づき、空調機最適起動時刻を算出する（ステップＳＴ４０３）。
具体的には、空調機最適起動時刻算出部１２２は、対象スケジュールにおける空調機３の起動時刻から、空調機運転時間を差し引くことで、空調機最適起動時刻を算出する。なお、対象スケジュールが複数ある場合、空調機最適起動時刻算出部１２２は、複数の対象スケジュールそれぞれに対応する、空調機最適移動時刻を算出する。
【００３３】
空調機最適起動時刻算出部１２２は、算出した空調機最適起動時刻の情報を、熱源機最適起動時刻算出部１２４、および、時刻判定部１３に出力する。
【００３４】
演算部１２の熱源機運転時間算出部１２３は、制御対象となる室内温度を目標温度とするために必要な熱源機運転時間を算出する（ステップＳＴ４０４）。
具体的には、例えば、熱源機運転時間算出部１２３は、毎日の実績を元に、往水管路１０３内の保有水温度が、予め設定されている目標熱源水温度に達するまでの時間または温度差から、指数平滑によりゲインα（℃／Ｈ）を学習し、当該学習したゲインαで現在の往水管路１０３内保有水温度と予め設定されている目標熱源水温度との差を除して、熱源機運転時間を算出する。
熱源機運転時間算出部１２３は、算出した熱源機運転時間の情報を、演算部１２の熱源機最適起動時刻算出部１２４に出力する。
【００３５】
熱源機最適起動時刻算出部１２４は、ステップＳＴ４０４において熱源機運転時間算出部１２３から出力された熱源機運転時間の情報と、ステップＳＴ４０３において空調機最適起動時刻算出部１２２から出力された空調機最適起動時刻の情報とに基づき、熱源機最適起動時刻を算出する（ステップＳＴ４０５）。
具体的には、熱源機最適起動時刻算出部１２４は、空調機最適起動時刻から、熱源機運転時間を差し引くことで、熱源機最適起動時刻を算出する。
熱源機最適起動時刻算出部１２４は、算出した熱源機最適起動時刻の情報を、時刻判定部１３に出力する。
【００３６】
時刻判定部１３の熱源機起動時刻判定部１３２は、現時刻が、ステップＳＴ４０５において熱源機最適起動時刻算出部１２４が算出した熱源機最適起動時刻になったかどうかを判定する（ステップＳＴ４０６）。
ステップＳＴ４０６において、現時刻が熱源機最適起動時刻になっていない場合（ステップＳＴ４０６の“ＮＯ”の場合）、ステップＳＴ４０８に進む。
【００３７】
ステップＳＴ４０６において、現時刻が熱源機最適起動時刻になった場合（ステップＳＴ４０６の“ＹＥＳ”の場合）、起動制御部１４の熱源機起動制御部１４２は、熱源機コントローラ５を介して熱源機２を起動させる。また、起動制御部１４の空調機起動制御部１４１は、空調機コントローラ６を介して空調機バルブ４の開度を一定とする制御を行う（ステップＳＴ４０７）。
これにより、熱源機側管路１０１、往水管路１０３、空調機３の空調機コイル（図示省略）、空調機バルブ４、還水管路１０４の経路でサプライヘッダ１０２とリターンヘッダ１０５との間を熱源水が循環し、熱源機２側、空調機３側ともに配管内保有水の予冷が行われる。
【００３８】
時刻判定部１３の空調機起動時刻判定部１３１は、熱源機運転時間が経過し、現時刻が、空調機最適起動時刻になったかどうかを判定する（ステップＳＴ４０８）。
ステップＳＴ４０８において、現時刻が空調機最適起動時刻になっていない場合（ステップＳＴ４０８の“ＮＯ”の場合）、ステップＳＴ４０６に戻る。
【００３９】
ステップＳＴ４０８において、現時刻が空調機最適起動時刻になった場合（ステップＳＴ４０８の“ＹＥＳ”の場合）、空調機起動制御部１４１は、空調機コントローラ６を介して空調機３を起動させる（ステップＳＴ４０９）。なお、このとき、空調機起動制御部１４１は、空調機コントローラ６を介して空調機バルブ４の開度を一定とする制御を終了する。
熱源機最適起動時間の間の空調機バルブ４を開いての熱源機２の起動により（ステップＳＴ４０７参照）、現時刻が空調機最適起動時刻に達した時点では、配管内保有水温度は、目標熱源水温度に達している。よって、熱源機最適起動時間が経過して、空調機最適起動時刻に達し、配管内保有水温度が目標熱源温水温度に一致した時点から、空調機３の運転が開始されることになる。
【００４０】
以上のように、この実施の形態１によれば、予め設定されたスケジュール有効時間に基づき、予め設定された運転スケジュールの中から、前倒し運転の対象とする対象スケジュールを特定する対象スケジュール特定部１１と、制御対象となる室内温度と目標温度との差に基づいて、当該室内温度を目標温度とするために必要な空調機運転時間を算出する空調機運転時間算出部１２１と、対象スケジュール特定部１１が特定した対象スケジュールの情報と、空調機運転時間算出部１２１が算出した空調機運転時間の情報とに基づき、空調機最適起動時刻を算出する空調機最適起動時刻算出部１２２と、現在時刻が空調機最適起動時刻になった場合に、空調機を起動させる空調機起動制御部１４１とを備えるように構成したので、ＯＳＳ制御が不要な時間帯での当該ＯＳＳ制御が働かないようにし、ＯＳＳ制御が必要な時間帯に当該ＯＳＳ制御を行うことができる。
【００４１】
実施の形態２．
実施の形態１では、空調機３を前倒し運転させる際の、空調機最適起動時刻は、スケジュール有効時間に関わらず、対象スケジュールの情報と、空調機運転時間の情報とに基づき求めるようにしていた。
この実施の形態２では、空調機３を前倒し運転させる際の、空調機最適起動時刻を、スケジュール有効時間に基づき補正する実施の形態について説明する。
【００４２】
実施の形態２に係る空調システムの構成は、実施の形態１において図１を用いて説明した構成と同様であるため、重複した説明を省略する。
図５は、実施の形態２に係る最適起動停止制御装置１ａの構成を示す図である。
図５において、実施の形態１で図２を用いて説明した最適起動停止制御装置１と同様の構成については、同じ符号を付して重複した説明を省略する。
最適起動停止制御装置１ａは、実施の形態１の最適起動停止制御装置１とは、演算部１２ａが、空調機最適起動時刻補正部１２５をさらに備える点が異なるのみである。
【００４３】
空調機最適起動時刻補正部１２５は、空調機最適起動時刻算出部１２２が算出した空調機最適起動時刻が、スケジュール有効時間の開始時刻よりも前である場合、当該空調機最適起動時刻を、当該スケジュール有効時間の開始時刻に補正する。
なお、実施の形態２において、空調機最適起動時刻算出部１２２は、空調機最適起動時刻の情報を、空調機最適起動時刻補正部１２５に出力する。
空調機最適起動時刻補正部１２５は、補正後の空調機最適起動時刻の情報を、時刻判定部１３に出力する。
【００４４】
次に、上記のように構成された空調システムの最適起動停止制御装置１ａによる動作について説明する。
図６は、実施の形態２に係る最適起動停止制御装置１ａの動作を説明するためのフローチャートである。
図６のステップＳＴ６０１〜ステップＳＴ６０３、ステップＳＴ６０６〜ステップＳＴ６１１の動作は、実施の形態１で説明した図４のステップＳＴ４０１〜ステップＳＴ４０９の動作と同様であるため重複した説明を省略する。
【００４５】
空調機最適起動時刻補正部１２５は、ステップＳＴ６０３において空調機最適起動時刻算出部１２２が算出した空調機最適起動時刻が、スケジュール有効時間の開始時刻よりも前であるかどうかを判定する（ステップＳＴ６０４）。
【００４６】
ステップＳＴ６０４において、空調機最適起動時刻が、スケジュール有効時間の開始時刻よりも前ではない場合（ステップＳＴ６０４の“ＮＯ”の場合）、ステップＳＴ６０６に進む。
【００４７】
ステップＳＴ６０４において、空調機最適起動時刻が、スケジュール有効時間の開始時刻より前である場合（ステップＳＴ６０４の“ＹＥＳ”）、空調機最適起動時刻補正部１２５は、空調機最適起動時刻を、スケジュール有効時間の開始時刻に補正する（ステップＳＴ６０５）。
このように、実施の形態２では、ＯＳＳ制御の前倒し限界時刻を設ける。
【００４８】
以上のように、実施の形態２によれば、実施の形態１の最適起動停止制御装置１の構成に加え、空調機最適起動時刻算出部１２２が算出した空調機最適起動時刻が、スケジュール有効時間の開始時刻よりも前である場合、空調機最適起動時刻を、スケジュール有効時間の開始時刻に補正する空調機最適起動時刻補正部１２５をさらに備えるように構成した。これにより、管理者等は、所望の時刻がＯＳＳ制御の限界となるよう、コントロールすることができる。例えば、ある事務所でＯＳＳ制御を行う場合に、ある特定の日に、従業員が早出をするけれども、当該早出をする従業員が数人だけしか存在せず、当該早出の時刻に合わせて前倒し運転をする必要がない場合に、当該前倒し運転によって空調を起動することを避けることができる。
【００４９】
なお、以上の実施の形態１，２では、最適起動停止制御装置１，１ａは、空調機３の最適起動停止制御に加え、熱源機２の最適起動停止制御、および、空調機バルブ４の開度制御を行うものとしたが、これに限らず、最適起動停止制御装置１，１ａは、空調機３の最適起動停止制御のみを行うものとしてもよい。この場合、最適起動停止制御装置１，１ａは、図２，５に示すような構成のうち、熱源機運転時間算出部１２３、熱源機最適起動時刻算出部１２４、熱源機起動時刻判定部１３２、および、熱源機起動制御部１４２を備えない構成となる。
【００５０】
また、本願発明はその発明の範囲内において、実施の形態の任意の構成要素の変形、もしくは実施の形態の任意の構成要素の省略が可能である。
【符号の説明】
【００５１】
１，１ａ  最適起動停止制御装置
２  熱源機
３  空調機
４  空調機バルブ
５  熱源機コントローラ
６  空調機コントローラ
１１  対象スケジュール特定部
１２，１２ａ  演算部
１３  時刻判定部
１４  起動制御部
１０１  熱源機側管路
１０２  サプライヘッダ
１０３  往水管
１０４  還水管路
１０５  リターンヘッダ
１２１  空調機運転時間算出部
１２２  空調機最適起動時刻算出部
１２３  熱源機運転時間算出部
１２４  熱源機最適起動時刻算出部
１３１  空調機起動時刻判定部
１３２  熱源機起動時刻判定部
１４１  空調機起動制御部
１４２  熱源機起動制御部
【図１】
2018200122.tif 000003
【図２】
2018200122.tif 000004
【図３】
2018200122.tif 000005
【図４】
2018200122.tif 000006
【図５】
2018200122.tif 000007
【図６】
2018200122.tif 000008